(57)【要約】【課題】その構造が単純であり、その設置に鍵盤楽器内部の前後方向に大きなスペースを必要とせず、鍵盤楽器の設計時に設計上の制約を与えない鍵盤楽器の鍵盤蓋開閉機構、および上述の鍵盤蓋開閉機構を備える鍵盤楽器を提供すること。【解決手段】鍵盤蓋を鍵盤楽器本体１内に収納するためには、収納部４４、鍵盤蓋案内部３８，３８および鍵盤蓋停止部としての連結溝壁面３８ｇ，３８ｇを備えればよい。この鍵盤蓋案内部３８，３８は、鍵盤蓋が閉蓋位置と開蓋位置との間を移動する際に、鍵盤楽器１内の後部に位置する鍵盤蓋の突起部を鍵盤楽器１の背面板９に沿って案内する。そして、開蓋位置にある鍵盤蓋は、略垂直な姿勢で鍵盤楽器１内の後部にて収納部４４に収納される。【選択図】図１
2008139701.tif 000002
【特許請求の範囲】
【請求項１】
鍵盤楽器内の前側左右両端付近に対向配置された腕木の間に配された鍵盤の上方を覆う位置である閉蓋位置と前記鍵盤楽器内に収納された位置である開蓋位置との間を移動可能な板状の鍵盤蓋と、
前記閉蓋位置と前記開蓋位置との間で前記鍵盤蓋を案内する鍵盤蓋案内部と、
移動中の前記鍵盤蓋を前記開蓋位置で停止させる鍵盤蓋停止部と、
前記開蓋位置にある前記鍵盤蓋を収納可能な収納部と、
を備え、
前記鍵盤蓋案内部は、前記鍵盤蓋が前記閉蓋位置と前記開蓋位置との間を移動する際に、前記鍵盤楽器内の後部に位置する前記鍵盤蓋の後部を、前記鍵盤楽器の背面に沿って案内し、
前記収納部は、前記開蓋位置にある前記鍵盤蓋を前記鍵盤楽器の背面に沿った姿勢で前記鍵盤楽器内の後部に収納可能であること
を特徴とする鍵盤楽器の鍵盤蓋開閉機構。
【請求項２】
請求項１に記載の鍵盤楽器の鍵盤蓋開閉機構において、
前記鍵盤蓋案内部は、前記鍵盤蓋が前記閉蓋位置と前記開蓋位置との間を移動する際に、前記鍵盤楽器内の上部に位置する前記鍵盤蓋の後部を前記鍵盤楽器の上面に沿って案内することを特徴とする鍵盤楽器の鍵盤蓋開閉機構。
【請求項３】
請求項１または請求項２に記載の鍵盤楽器の鍵盤蓋開閉機構において、
前記鍵盤蓋は、前記一対の腕木の間に配された鍵盤の上方を覆う前蓋と、前記前蓋の後端部とその前端部とが連結部により山型に折り畳み可能に連結される後蓋と、を有し、
前記収納部は、前記開蓋位置にある前記鍵盤蓋を、前記連結部によって山型に折り畳まれた状態で、前記鍵盤楽器の背面に沿った姿勢で前記鍵盤楽器の後部に収納可能であること
を特徴とする鍵盤楽器の鍵盤蓋開閉機構。
【請求項４】
請求項１〜請求項３の何れかに記載の鍵盤楽器の鍵盤蓋開閉機構において、
前記鍵盤蓋は、その側方に向けて延出する突起部を有し、
一方、前記鍵盤蓋案内部は、互いにほぼ平行な内側溝壁面と外側溝壁面とを有し、
前記内側溝壁面は、前記鍵盤蓋が前記閉蓋位置と前記開蓋位置との間を移動する際には、前記突起部を介して前記鍵盤蓋を前記鍵盤楽器の内部側から支えるとともに、前記外側溝壁面は、前記鍵盤蓋が前記閉蓋位置と前記開蓋位置との間を移動する際には、前記突起部を介して前記鍵盤蓋が前記鍵盤楽器の外部へ向けて移動するのを防ぐこと
を特徴とする鍵盤楽器の鍵盤蓋開閉機構。
【請求項５】
請求項４記載の鍵盤楽器の鍵盤蓋開閉機構において、
前記突起部は少なくとも２つあり、そのうちの２つが同軸上で反対向きに延出し、
一方、前記鍵盤蓋案内部は少なくとも２つあり、そのうちの２つが、前記同軸上にある２つの突起部をそれぞれ案内しており、
前記同軸上にある２つの突起部の少なくとも一方は、伸縮自在に構成されていること
を特徴とする鍵盤楽器の鍵盤蓋開閉機構。
【請求項６】
請求項１〜請求項５の何れかに記載の鍵盤楽器の鍵盤蓋開閉機構において、
前記鍵盤蓋は、その両端付近それぞれにピニオンギヤを有し、且つその移動方向に対して直交する方向に沿って配されて回転可能な案内軸を備えるととともに、
前記鍵盤蓋が前記閉蓋位置と前記開蓋位置との間を移動する際に、前記ピニオンギヤそれぞれに噛み合うように配置された一対のラックを備えること
を特徴とする鍵盤楽器の鍵盤蓋開閉機構。
【請求項７】
請求項１〜請求項６の何れかに記載の鍵盤楽器の鍵盤蓋開閉機構を備えたことを特徴とする鍵盤楽器。
【発明の詳細な説明】
【技術分野】
【０００１】
本発明は、その構造が単純であり、その設置に鍵盤楽器内部の前後方向に大きなスペースを必要とせず、鍵盤楽器の設計時に設計上の制約を与えない鍵盤楽器の鍵盤蓋開閉機構、および上述の鍵盤蓋開閉機構を備える鍵盤楽器に関する。
【背景技術】
【０００２】
近年、電子ピアノや電子オルガンなどのような各種の鍵盤楽器においては、多種多様の演奏を実現する際に用いる各種の操作子や表示器を操作パネル上に配置する必要があるため、操作パネルが大型になってきている。従って、こうした大型の操作パネルや鍵盤を覆う鍵盤蓋もまた、当然のことながら大型化せざるを得ないものであった。
【０００３】
ところで、従来の鍵盤楽器において、演奏者が演奏を行う際には、鍵盤や操作パネルを覆っている大型化した鍵盤蓋をその鍵盤や操作パネル上から取り除いて、鍵盤楽器の内部に収納するようになされていた。なお、一般には、鍵盤や操作パネルを覆っている鍵盤蓋を当該鍵盤や操作パネル上から取り除くことを「鍵盤蓋を開く」と称し、鍵盤蓋により鍵盤や操作パネルを覆うことを「鍵盤蓋を閉じる」と称している。従って、本明細書においても「鍵盤蓋の開閉」は上述した意味に用いるものとする。
【０００４】
一例を挙げると、特許文献１に記載された鍵盤楽器は、当該鍵盤装置の上を前後に移動する鍵盤蓋が、平面板からなる第一のスライド鍵盤蓋と第一のスライド鍵盤蓋と連結して前後に分割され屈曲可能に連結する第二のスライド鍵盤蓋を形成する複数の蓋部材とから構成されており、第一のスライド鍵盤蓋の後部と複数の蓋部材とを係着する両側部に設けた環状ベルトと、筐体の両側部に設けたラックギアと歯合する第一の軸の両端に固着したピニオンギヤと、第一の軸と所定の軸間距離を有して第二の軸を軸支する軸間支持部材と、第一の軸に固着した回転ドラムと、を有し、回転ドラムと第二の軸との間に環状ベルトを回動自在に架け渡し、第一のスライド鍵盤蓋を筐体内に収納するように構成されている。このことにより、第二の鍵盤蓋が筐体内で回転ドラムを介して折り返されて収納され、鍵盤蓋の奥行き寸法を短くすることができ、鍵盤楽器本体の奥行き寸法を短くすることができるとされている。
【０００５】
また、特許文献２に記載された鍵盤楽器は、二段にわたって設けられた鍵盤と、側板の内壁に設けられた一対のガイドと、一対のガイドの上をスライドされて開閉する鍵盤蓋と、鍵盤蓋の両側に形成された一対のレールと、屋根の下方に位置して鍵盤蓋の端部のレールを案内するローラと、鍵盤蓋の開動作に伴って鍵盤蓋を折り畳んで収納可能な収納部と、を備える。そして、鍵盤蓋は、上面側、下面側が交互に蝶着された前蓋板、中蓋板および後蓋板から構成され、このうちの後蓋板が上述のローラに案内される。このことにより、鍵盤蓋が後方へ押されると、後蓋板がローラに案内されて右上がりに傾斜しつつ右方向に移動し、これに伴って中蓋板がガイドの上を摺動して右方向に移動し、後蓋板および中蓋板が収納部に収納される。前蓋板についてはその先端が鍵盤の上方のガイドの上を摺動して後方に移動されて鍵盤蓋が途中まで開かれた状態となっている。さらに、鍵盤蓋が後方に押されると、ローラがレールの右端に当接して後蓋板がほぼ垂直となり、これに伴って中蓋板もほぼ直立となり、前蓋板についてはその先端がガイドの凹部に入り込んでほぼ水平となっている。この場合、鍵盤蓋は完全に開かれた状態となる。このように、複数の板材の上面側、下面側が交互に軸着された鍵盤蓋を、その開動作に伴って案内機構が案内して収納部に折り畳んで収納させるので、鍵盤楽器の奥行寸法および高寸法を小さくすることができるとされている。
【０００６】
また、特許文献２には、従来の鍵盤楽器として次のような構造を有する鍵盤楽器が記載されている。すなわち、実公平１−１９１８１号公報に記載の従来の鍵盤楽器は、前後方向にスライド自在で屈曲自在な鎧戸型の鍵盤蓋と、この鎧戸型の鍵盤蓋を収納可能であり、その途中で鍵盤蓋を下方に屈曲する収納部と、を備えている。このように構成された鍵盤楽器によれば、鍵盤を開放する場合には、上述の鎧戸型の鍵盤蓋を後方にスライドさせてその途中から下方に屈曲させて収納部に収納し、一方、鍵盤を閉鎖する場合には、上述の鎧戸型の鍵盤蓋を前方にスライドさせて鍵盤を覆う。
【０００７】
また、特許文献３に記載された鍵盤楽器は、前後方向にスライド自在で複数の短冊片からなる鍵盤蓋と、この鍵盤蓋を収納可能であり、スライドする鍵盤蓋をその途中で下方に屈曲させながら収納する収納部と、を備えている。なお、鍵盤蓋は、上述のように複数の短冊片からなるので、屈曲自在である。このように構成された鍵盤楽器によれば、鍵盤を開放する場合には、上述の鍵盤蓋を後方にスライドさせてその途中から下方に屈曲させて収納部に収納し、一方、鍵盤を閉鎖する場合には、上述の鍵盤蓋を前方にスライドさせて鍵盤を覆う。
【０００８】
また、特許文献４に記載された鍵盤楽器は、鍵盤上を開閉可能に覆う鍵盤蓋と、鍵盤蓋の下面に取り付けられて楽器本体の内部に延出された支持部材と、この支持部材を前後方向に回動可能に支持する軸部材とを備え、支持部材が軸部材を中心に回動して、鍵盤蓋が鍵盤上を覆う位置と、楽器本体内に鍵盤蓋が傾斜して収納される位置とに移動するように、軸部材を設置したことを特徴とする。このことにより、鍵盤蓋が楽器本体内に傾斜して収納されることになり、このため、鍵盤蓋が傾斜した分だけ楽器本体の奥行きを小さくでき、これにより楽器本体の床面積を小さくでき、その設置スペースを小さくできるとともに、鍵盤蓋の開閉機構が支持部材と軸部材とで構成されているので、構造が簡単で部品点数も少なくなり、低コスト化が図れるとされている。
【特許文献１】特開平０８−３１４４３４号公報（第４頁、図１）
【特許文献２】特開平０９−４４１４４号公報（第２、３頁、図１〜４、８）
【特許文献３】特開平１１−２４２４７５号公報（第２、３頁、図１）
【特許文献４】特開２００１−２２８８５９号公報（第３頁、図１，２）
【発明の開示】
【発明が解決しようとする課題】
【０００９】
しかし、上述のような特許文献１に記載された鍵盤楽器においては、鍵盤蓋を折り曲げて鍵盤楽器内に収納しているが、鍵盤蓋を第一のスライド鍵盤蓋が水平となる姿勢で鍵盤楽器内に収納するために、鍵盤楽器の収納スペースを鍵盤楽器内に前後方向に長く確保する必要があり、鍵盤楽器の奥行き寸法が長くなるという問題があった。
【００１０】
また、上述のような特許文献２に記載された鍵盤楽器においては、鍵盤蓋の開動作に伴って鍵盤蓋を折り畳んで収納するよう構成されているため、鍵盤蓋を収納するためのスペースだけでなく、移動する鍵盤蓋が通過する場所を鍵盤楽器内に確保する必要があるために鍵盤楽器の容量を大きくする必要があり、鍵盤楽器が大型化するといった問題があった。また、基板などの構成部位を移動する鍵盤蓋に当接しないよう鍵盤楽器内に配置する必要があるため、鍵盤楽器の設計時に設計上の制約を与えるという問題があった。
【００１１】
また、上述のような特許文献２に従来技術として記載された鍵盤楽器においては、鍵盤蓋が屈曲自在に構成されているため、鍵盤蓋の部品点数が多くなり、鍵盤蓋の製造工数および製造コストが大きくなるという問題があった。
【００１２】
また、上述のような特許文献３に記載された鍵盤楽器においては、同様に、鍵盤蓋が屈曲自在に構成されているため、鍵盤蓋の部品点数が多くなり、鍵盤蓋の製造工数および製造コストが大きくなるという問題があった。
【００１３】
また、上述のような特許文献４に記載された鍵盤楽器においては、移動する鍵盤蓋が回転しながら鍵盤楽器内に収納されるよう構成されているため、鍵盤蓋を収納するためのスペースだけでなく、移動中の鍵盤蓋が回転する際に通過する領域を鍵盤楽器内に確保する必要があるために鍵盤楽器の容量を大きくする必要があり、鍵盤楽器が大型化するといった問題があった。また、基板などの構成部位を移動する鍵盤蓋に当接しないよう鍵盤楽器内に配置する必要があるため、鍵盤楽器の設計時に設計上の制約を与えるという問題があった。
【００１４】
本発明は、上記したような従来の技術の有する問題点に鑑みてなされたものであり、その目的とするところは、その構造が単純であり、その設置に鍵盤楽器内部の前後方向に大きなスペースを必要とせず、鍵盤楽器の設計時に設計上の制約を与えない鍵盤楽器の鍵盤蓋開閉機構、および上述の鍵盤蓋開閉機構を備える鍵盤楽器を提供することにある。
【課題を解決するための手段】
【００１５】
上記課題を解決するためになされた請求項１に係る鍵盤楽器の鍵盤蓋開閉機構は、鍵盤楽器内の前側左右両端付近に対向配置された腕木の間に配された鍵盤の上方を覆う位置である閉蓋位置と前記鍵盤楽器内に収納された位置である開蓋位置との間を移動可能な板状の鍵盤蓋と、前記閉蓋位置と前記開蓋位置との間で前記鍵盤蓋を案内する鍵盤蓋案内部と、移動中の前記鍵盤蓋を前記開蓋位置で停止させる鍵盤蓋停止部と、前記開蓋位置にある前記鍵盤蓋を収納可能な収納部と、を備え、前記鍵盤蓋案内部は、前記鍵盤蓋が前記閉蓋位置と前記開蓋位置との間を移動する際に、前記鍵盤楽器内の後部に位置する前記鍵盤蓋の後部を、前記鍵盤楽器の背面に沿って案内し、前記収納部は、前記開蓋位置にある前記鍵盤蓋を前記鍵盤楽器の背面に沿った姿勢で前記鍵盤楽器内の後部に収納可能であることを特徴とする。
【００１６】
このように構成された本発明の鍵盤楽器の鍵盤蓋開閉機構によれば、鍵盤の上方を覆う鍵盤蓋を演奏時などに開けるには、この閉蓋位置にある鍵盤蓋を開蓋位置に向けて移動させればよい。すなわち、鍵盤蓋の前部を押すなどして鍵盤蓋を鍵盤楽器本体内に向けて移動させる。この場合、鍵盤蓋案内部が、鍵盤蓋が閉蓋位置と開蓋位置との間を移動する際に、鍵盤楽器内の後部に位置する鍵盤蓋の後部を鍵盤楽器の背面に沿って案内する。そして、鍵盤蓋停止部が、移動中の鍵盤蓋を開蓋位置で停止させる。この際、開蓋位置にある鍵盤蓋が、鍵盤楽器の背面に沿った姿勢で鍵盤楽器内の後部にて収納部に収納される。一方、演奏終了後などに鍵盤蓋を閉じるには、この開蓋位置にある鍵盤蓋を閉蓋位置に向けて移動させればよい。すなわち、収納部に収納されていた鍵盤蓋を、手前に引くなどして鍵盤の上方に向けて移動させる。すると、鍵盤蓋が鍵盤蓋停止部から離れ、鍵盤楽器本体内から引き出されていく。この場合、鍵盤蓋案内部が、鍵盤蓋が閉蓋位置と開蓋位置との間を移動する際に、鍵盤楽器内の後部に位置する鍵盤蓋の後部を鍵盤楽器の背面に沿って案内する。そして、鍵盤蓋が、鍵盤の上方を覆う閉鎖位置となる。
【００１７】
このように鍵盤蓋を鍵盤楽器本体内に収納するためには、収納部、鍵盤蓋案内部および鍵盤蓋停止部を備えればよく、したがって、鍵盤蓋を開閉させるための構成を単純にできる。またこれらは可動部分を有しないので、その設置には鍵盤楽器内部の前後方向に大きなスペースを必要とせず、鍵盤楽器の奥行方向の寸法を小さくすることができる。
【００１８】
また、本発明の鍵盤楽器の鍵盤蓋開閉機構によれば、開蓋位置にある鍵盤蓋が鍵盤楽器の背面に沿った姿勢で鍵盤楽器内の後部にて収納部に収納されるので、鍵盤楽器の奥行方向の寸法を小さくすることができる。
【００１９】
また、本発明の鍵盤楽器の鍵盤蓋開閉機構によれば、鍵盤蓋案内部が、鍵盤蓋が閉蓋位置と開蓋位置との間を移動する際に、鍵盤楽器内の後部に位置する鍵盤蓋の後部を鍵盤楽器の背面に沿って案内し、この際、開蓋位置にある鍵盤蓋が鍵盤楽器の背面に沿った姿勢で鍵盤楽器内の後部にて収納部に収納されるので、上述の特許文献４に記載された鍵盤楽器のような移動中の鍵盤蓋が回転する際に通過する領域を鍵盤楽器内に確保する必要がなく、鍵盤楽器の容量を小さくでき、鍵盤楽器を小型化することができる。また、基板などの構成部位を移動する鍵盤蓋に当接しないよう鍵盤楽器内に配置する必要がないため、鍵盤楽器の設計時に設計上の制約を与えない。
【００２０】
また、本発明の鍵盤楽器の鍵盤蓋開閉機構によれば、上述の特許文献３に記載された鍵盤楽器のように鍵盤蓋をスライド自在な複数の短冊片を繋ぎ合わせて屈曲自在に構成する必要がなく、鍵盤蓋の部品点数を少なくすることができ、且つ鍵盤蓋の製造工数および製造コストを小さくすることができる。
【００２１】
この場合、請求項２のように、鍵盤蓋案内部が、鍵盤蓋が閉蓋位置と開蓋位置との間を移動する際に、鍵盤楽器内の上部に位置する鍵盤蓋の後部を鍵盤楽器の上面に沿って案内することが考えられる。このように構成すれば、移動する鍵盤蓋を通過する領域を鍵盤楽器内に確保する必要がなく、鍵盤楽器の容量を小さくすることができ、鍵盤楽器を小型化することができる。また、基板などの構成部位を移動する鍵盤蓋に当接しないよう鍵盤楽器内に配置する必要がないため、鍵盤楽器の設計時に設計上の制約を与えない。
【００２２】
また、請求項３のように、上述の鍵盤蓋については、一対の腕木の間に配された鍵盤の上方を覆う前蓋と、前蓋の後端部とその前端部とが連結部により山型に折り畳み可能に連結される後蓋と、を有し、収納部が開蓋位置にある鍵盤蓋を連結部によって山型に折り畳まれた状態で、鍵盤楽器の背面に沿った姿勢で前記鍵盤楽器の後部に収納可能であることが考えられる。このように構成すれば、鍵盤楽器の後部に収納された鍵盤蓋の高さ方向の寸法を小さくすることができ、鍵盤楽器の高さ方向の寸法を小さくすることができる。
【００２３】
また、請求項４のように、鍵盤蓋がその側方に向けて延出する突起部を有し、一方、鍵盤蓋案内部が互いにほぼ平行な内側溝壁面と外側溝壁面とを有し、内側溝壁面が、鍵盤蓋が閉蓋位置と開蓋位置との間を移動する際には、突起部を介して鍵盤蓋を前記鍵盤楽器の内部側から支えるとともに、外側溝壁面が、鍵盤蓋が閉蓋位置と開蓋位置との間を移動する際には、突起部を介して鍵盤蓋が鍵盤楽器の外部へ向けて移動するのを防ぐことが考えられる。このように構成すれば、鍵盤蓋の安定した移動が可能となる。
【００２４】
また、請求項５のように、突起部が少なくとも２つあり、そのうちの２つが同軸上で反対向きに延出し、一方、鍵盤蓋案内部が少なくとも２つあり、そのうちの２つが、同軸上にある２つの突起部をそれぞれ案内しており、同軸上にある２つの突起部の少なくとも一方が伸縮自在に構成されていることが考えられる。このように構成すれば、伸縮自在な突起部を縮めることで、鍵盤蓋を鍵盤楽器本体に対して容易に取り外したり取り付けたりすることができる。すなわち、後蓋を鍵盤楽器本体に取り付けるには、まず、同軸上にある２つの突起部のうち伸縮自在な方を縮ませた状態にし、これら突起部が、それぞれを案内する２つの鍵盤蓋案内部の間に位置するように鍵盤蓋を移動させる。そして、縮ませた状態の突起部を伸ばすと、これら突起部が２つの鍵盤蓋案内部の間に入る。つまり鍵盤蓋が鍵盤楽器本体に取り付けられる。一方、鍵盤蓋を鍵盤楽器本体から取り外すには、伸縮自在な突起部を縮ませた状態にする。こうすれば、同軸上にある２つの突起部を２つの鍵盤蓋案内部の間から移動させることができ、つまり鍵盤蓋を鍵盤楽器本体から取り外すことができる。
【００２５】
ところで、例えば鍵盤蓋を鍵盤楽器本体内に収納する際に真っ直ぐ押さなかった場合には、案内軸の両端には同程度の力が作用せず、これら両端のうちの一方が空転したり滑ったりするなど鍵盤蓋をうまく移動させられない事態が生じる。そこで、請求項６のように、記鍵盤蓋が、その両端付近それぞれにピニオンギヤを有し、且つその移動方向に対して直交する方向に沿って配されて回転可能な案内軸を備えるととともに、鍵盤蓋が閉蓋位置と開蓋位置との間を移動する際に、ピニオンギヤそれぞれに噛み合うように配置された一対のラックを備えることが考えられる。このように構成すれば、案内軸の両端のピニオンギヤとラックとが噛み合っているので、上述のような空転や滑りが生じず、したがって、鍵盤蓋の移動をさらに安定させることができる。
【００２６】
なお、本発明については、上述の鍵盤蓋開閉機構を備える鍵盤楽器として構成してもよい（請求項７）。
また、上述の鍵盤楽器の具体例としては、電子ピアノや電子オルガンなどの電子鍵盤楽器や、オルガンなどが挙げられる。
【発明を実施するための最良の形態】
【００２７】
以下に本発明の実施形態を図面とともに説明する。
［第一実施形態］
図１は第一実施形態の鍵盤楽器１の側断面図であり、鍵盤蓋１４を取り外した状態を示す。また、図２は第一実施形態の鍵盤蓋１４の説明図であり、図２（ａ）は板材１８、鍵盤蓋軸ホルダー２６および鍵盤蓋軸ホルダー取付金具２８を示し、図２（ｂ）は鍵盤蓋軸ホルダー２６、案内軸３０およびピニオンギヤ３４を示し、図２（ｃ）は鍵盤蓋１４を鍵盤蓋案内部３８，３８に取り付けた状態を示している。また、図３は第一実施形態の鍵盤楽器１の側断面図であり、図３（ａ）は鍵盤蓋１４が閉蓋位置にある状態を示し、図３（ｂ）は鍵盤蓋１４が鍵盤楽器１の屋根５近傍を移動する状態を示し、図３（ｃ）は鍵盤蓋１４を鍵盤楽器１の後部から引き出した状態を示し、図３（ｄ）は鍵盤蓋１４が開蓋位置にある状態を示す。
【００２８】
［鍵盤楽器１の構成の説明］
図１に示すように、鍵盤楽器１は、鍵盤楽器１の内部の前側左右両端付近に対向配置された一対の腕木３，３、屋根５、棚板８、背面板９および腕木３，３の間に配された鍵盤１０や口棒１１、操作パネル１２等により形成されている。なお、この鍵盤楽器１の具体例としては、電子ピアノや電子オルガンなどの電子鍵盤楽器や、オルガンなどが挙げられる。また、上述の一対の腕木３，３については、左右対称に構成されている。また、図１では演奏者側から見て右側に配置される腕木３のみを図示し、演奏者側から見て左側に配置される腕木３については図示を省略する。
【００２９】
屋根５は木製の板材で構成されており、鍵盤楽器１の上部に配置され、その姿勢が略水平となるよう腕木３，３に取り付けられている。また、背面板９は木製の板材で構成されており、鍵盤楽器１の後部に配置され、その姿勢が略垂直となるよう腕木３，３に取り付けられている。
【００３０】
鍵盤１０は合計８８鍵の白鍵１０ａおよび黒鍵１０ｂを備えており、腕木３，３の間の前方に配置されている。なお、図１では、一つの白鍵１０ａおよび一つの黒鍵１０ｂのみを図示している。また、操作パネル１２は、各種スイッチおよび電子回路を備えており、鍵盤１０の後方の斜め上方において、屋根５に近づくに従って上方に傾斜して配置されている。また、鍵盤楽器１の内部には、基板１３ａおよびトランス１３ｂが設置されている。このうち基板１３ａは棚板８の上面に取り付けられ、さらに、トランス１３ｂは基板１３ａの上面に取り付けられている。
【００３１】
［鍵盤蓋１４の構成の説明］
図２（ａ）に示すように、鍵盤楽器１は鍵盤蓋１４を備えている。この鍵盤蓋１４は、鍵盤１０および操作パネル１２の上方を覆う木製の板材１８を備えている。また、板材１８の下面には、鍵盤蓋軸ホルダー２６が鍵盤蓋軸ホルダー取付金具２８を介して取り付けられている。なお、鍵盤蓋軸ホルダー２６を、鍵盤蓋軸ホルダー取付金具２８を介さずに板材１８に取り付ける構成としてもよい。この鍵盤蓋軸ホルダー２６は軸用穴２６ａを有しており、この軸用穴２６ａには、図２（ｂ）に示すように案内軸３０が通されている。なお、この軸用穴２６ａは、案内軸３０が回転可能となるようにその形状が設定されている。そして、これら鍵盤蓋軸ホルダー２６および鍵盤蓋軸ホルダー取付金具２８は、図２（ａ）に示すように、案内軸３０が鍵盤蓋１４の左右方向に沿って配されるように設定されている。
【００３２】
また、図２（ｂ）に示すように、案内軸３０の両端には突起部３２，３２がそれぞれ取り付けられている。具体的には、この突起部３２は円柱状であり、その一端からは、取付穴３２ａが軸方向に沿って開けられている。また、突起部３２には、取付穴３２ａに連通するビス穴３２ｂが突起部３２の直径方向に沿って開けられている。さらに、突起部３２には、ピニオンギヤ３４がその周方向に沿って設けられている。
【００３３】
この突起部３２を案内軸３０に取り付けるには、まず図２（ｂ）における左の突起部３２の取付穴３２ａに案内軸３０の先端（図２（ｂ）では左の先端）を差し入れる。次に、図示しないビスをビス穴３２ｂからねじ入れ、ビスが案内軸３０の側面を押圧し、突起部３２が案内軸３０に対して動かなくなるまで締めればよい（図２（ｂ）における右の突起部３２）。このような手順にて案内軸３０の両端それぞれに突起部３２を取り付ける。一方、案内軸３０に取り付けられた突起部３２を取り外すには、上述の取り付け手順を逆に辿ればよい。
【００３４】
［鍵盤蓋案内部３８，３８の構成の説明］
また、図１に示すように、鍵盤楽器１は、一対の鍵盤蓋案内部３８，３８をそれぞれ腕木３，３に備えている。なお、上述の一対の鍵盤蓋案内部３８，３８については、左右対称に構成されている。また、図１では演奏者側から見て右側に配置される鍵盤蓋案内部３８のみを図示し、演奏者側から見て左側に配置される鍵盤蓋案内部３８については図示を省略する。
【００３５】
鍵盤蓋案内部３８，３８は、腕木３，３の内面に沿って配されて互いにほぼ平行な下側溝壁面３８ａおよび上側溝壁面３８ｂを備えている。このうち下側溝壁面３８ａは、略水平部分３８ｃと略垂直部分３８ｄとからなり、略水平部分３８ｃは屋根５近傍に略水平に配置され、略垂直部分３８ｄは背面板９近傍に略垂直に配置されている。また、上側溝壁面３８ｂは、略水平部分３８ｅと略垂直部分３８ｆとからなり、略水平部分３８ｅは、下側溝壁面３８ａの略水平部分３８ｃと平行に配置され、略垂直部分３８ｆは、下側溝壁面３８ａの略垂直部分３８ｄと平行に配置されている。また、これら下側溝壁面３８ａおよび上側溝壁面３８ｂは、これらの前端部同士が連結溝壁面３８ｇにより連結されており、これらの後端部同士が連結溝壁面３８ｈにより連結されている。
【００３６】
また、この鍵盤蓋案内部３８の下部には、ラック４０が下側溝壁面３８ａに沿って設けられている。このラック４０は、板材１８を鍵盤蓋案内部３８に取り付けた際に、ピニオンギヤ３４と噛み合うように設定されている。
【００３７】
さらに、この鍵盤蓋案内部３８，３８には複数の取付穴３８ｉがそれぞれ開けられており（図２（ｃ）参照）、鍵盤蓋案内部３８，３８は、これら取付穴３８ｉにビスなどを通して腕木３，３にそれぞれ固定されている。
【００３８】
なお、下側溝壁面３８ａは内側溝壁面に該当し、上側溝壁面３８ｂは外側溝壁面に該当する。また、連結溝壁面３８ｈは鍵盤蓋停止部に該当する。
［突起部４２，４２の構成の説明］
また、図１に示すように、鍵盤楽器１は、一対の突起部４２，４２をそれぞれ腕木３，３に備えている。具体的には、鍵盤楽器１の腕木３，３における鍵盤蓋案内部３８，３８の略水平部分と略垂直部分との接続部分３８ｊ，３８ｊの近傍からは、後述のように鍵盤楽器１の内部の後端部に略垂直な姿勢で収納された鍵盤蓋１４の上部の後方へ向けて突出する一対の突起部４２，４２がそれぞれ形成されている。なお、上述の一対の突起部４２，４２については、左右対称に構成されている。これら突起部４２，４２は、鍵盤蓋１４が突起部３２，３２を中心にして後方へ回転するのを防止する。このことにより、鍵盤楽器１の内部の後端部に収納部４４が形成され、収納部４４は、開蓋位置にある鍵盤蓋１４を収納可能である。なお、図１では演奏者側から見て右側に配置される突起部４２のみを図示し、演奏者側から見て左側に配置される突起部４２については図示を省略する。
【００３９】
なお、鍵盤蓋１４、鍵盤蓋案内部３８，３８および収納部４４が、鍵盤蓋開閉機構を構成する。
また、鍵盤楽器１の他の構成は公知技術に従っているのでその詳細の説明は省略する。
【００４０】
［鍵盤楽器１に対する鍵盤蓋１４の取り付け・取り外しについての説明］
次に、鍵盤楽器１に対する鍵盤蓋１４の取り付け・取り外しについて説明する。
上述のように構成された鍵盤蓋１４は、突起部３２，３２を介して鍵盤蓋案内部３８，３８に取り付けられることにより鍵盤楽器１に取り付けられる。それには、まず、図３（ａ）に示すように、鍵盤蓋１４の突起部３２，３２をそれぞれ鍵盤蓋案内部３８，３８に差し入れた状態とする。この際、上述のように突起部３２，３２が案内軸３０に対して伸縮自在に構成された鍵盤蓋１４は、次のように鍵盤楽器１に対して取り付け・取り外しが可能である。すなわち、鍵盤蓋１４を鍵盤楽器１に取り付ける際には、まず鍵盤蓋１４の案内軸３０の両端を突起部３２，３２の取付穴３２ａ，３２ａの奥までそれぞれ差し入れた状態にする。なお、この場合の突起部３２，３２の両端の間の距離は、鍵盤蓋案内部３８，３８の間の距離よりも短くなるように、取付穴３２ａの深さおよび案内軸３０の長さが設定されている。
【００４１】
続いて、鍵盤蓋１４を、突起部３２，３２および案内軸３０が鍵盤蓋案内部３８，３８の間に位置するように移動させる。そして、突起部３２，３２を鍵盤蓋案内部３８，３８それぞれの下側溝壁面３８ａと上側溝壁面３８ｂとの間に差し入れるように移動させる。この際、突起部３２，３２のピニオンギヤ３４，３４と鍵盤蓋案内部３８，３８のラック４０，４０とがそれぞれ噛み合う。続いてビスを各ビス穴３２ｂからねじ入れ、突起部３２が案内軸３０に対して動かなくなるまで締めると鍵盤蓋１４が鍵盤楽器１に取り付けられる（図２（ｃ）参照）。
【００４２】
すると、鍵盤蓋１４の突起部３２，３２は、それぞれ下側溝壁面３８ａおよび上側溝壁面３８ｂの前端部とこれらの後端部との間を、ピニオンギヤ３４とラック４０とを噛み合わせながら移動可能となる。なおこの場合、鍵盤蓋案内部３８の下側溝壁面３８ａは、鍵盤蓋１４が移動する際には、突起部３２を介して鍵盤蓋１４を下方から支える。一方、鍵盤蓋案内部３８の上側溝壁面３８ｂは、鍵盤蓋１４が移動する際には、突起部３２を介して鍵盤蓋１４が上方に外れるのを防ぐ。
【００４３】
なお、上述のように鍵盤楽器１に取り付けられた状態の鍵盤蓋１４を、鍵盤楽器１の前側に移動させると、鍵盤蓋１４の突起部３２，３２がそれぞれ鍵盤蓋案内部３８，３８の前端部（連結溝壁面３８ｇ）に当接することによって鍵盤蓋１４が停止する。この場合、鍵盤蓋１４は、鍵盤１０および操作パネル１２の上方を覆うように配置される（閉蓋位置）。
【００４４】
一方、上述のように鍵盤楽器１に取り付けられた鍵盤蓋１４を取り外すには、上述の取り付け手順を逆に辿ればよい。すなわち、鍵盤蓋１４の突起部３２を案内軸３０に固定しているビスを緩め、突起部３２，３２がそれぞれ案内軸３０の軸方向に動くようにする。続いて突起部３２，３２を動かし、突起部３２，３２の両端の間の距離を、鍵盤蓋案内部３８，３８の間の距離よりも短くする。そして、鍵盤蓋１４を上方に移動させて鍵盤楽器１より取り外す。
【００４５】
［鍵盤蓋１４の開閉動作の説明］
次に鍵盤蓋１４の開閉動作について説明する。
鍵盤１０および操作パネル１２の上方を覆う鍵盤蓋１４（閉蓋位置、図３（ａ）参照）を演奏時などに開けるには、まず板材１８を後方へ押すなどして鍵盤蓋１４を鍵盤楽器１の内部に向けて移動させる（図３（ｂ）参照）。
【００４６】
鍵盤蓋１４をさらに移動させると、鍵盤蓋１４の突起部３２，３２がそれぞれ鍵盤蓋案内部３８，３８の略水平部分の後端部に到着してそれぞれ略水平部分と略垂直部分との接続部分３８ｊに当接して鍵盤蓋１４の後方への移動が停止する。
【００４７】
ここで、板材１８の先端部を上方に持ち上げて鍵盤蓋１４を垂直な姿勢とする（図３（ｃ）参照）。
続いて、板材１８を下方へ押すなどして鍵盤蓋１４を下方へ向けて移動させる。すると、鍵盤蓋１４の突起部３２，３２がそれぞれ鍵盤蓋案内部３８，３８の略垂直部分の各後端部に到着してそれぞれ連結溝壁面３８ｈ，３８ｈ（鍵盤蓋停止部）に当接する。すると鍵盤蓋１４の移動が停止し、鍵盤蓋１４が、鍵盤楽器１の内部の後端部に形成された収納部４４に略垂直な姿勢で収納される（開蓋位置、図３（ｄ）参照）。この際、突起部４２，４２が、鍵盤蓋１４が突起部３２，３２を中心にして後方へ回転するのを防止する。
【００４８】
一方、演奏終了後などに鍵盤蓋１４を閉じるには、図３（ｄ）に示すように鍵盤楽器１の収納部４４に略垂直な姿勢で収納された鍵盤蓋１４を、板材１８を上方へ引くなどして鍵盤楽器１の上方へ向けて移動させる。すると、鍵盤蓋１４の突起部３２，３２がそれぞれ鍵盤蓋案内部３８，３８の略垂直部分の上端部に到着してそれぞれ略水平部分と略垂直部分との接続部分３８ｊに当接して鍵盤蓋１４の上方への移動が停止する（図３（ｃ）参照）。
【００４９】
続いて、板材１８の先端部を手前に引くなどして鍵盤蓋１４を鍵盤１０および操作パネル１２の上方に向けて移動させる（図３（ｂ）参照）。
鍵盤蓋１４をさらに移動させると、鍵盤蓋１４の突起部３２，３２がそれぞれ鍵盤蓋案内部３８，３８の略水平部分の各前端部に到着してそれぞれ連結溝壁面３８ｇ，３８ｇに当接する。すると、鍵盤蓋１４が停止し、鍵盤１０および操作パネル１２の上方を覆う状態となる（閉鎖位置、図３（ａ）参照）。
【００５０】
［第一実施形態の効果］
（１）このように第一実施形態の鍵盤楽器１によれば、鍵盤蓋１４を鍵盤楽器本体１内に収納するためには、収納部４４、鍵盤蓋案内部３８，３８および鍵盤蓋停止部としての連結溝壁面３８ｇ，３８ｇを備えればよく、したがって、鍵盤蓋１４を開閉させるための構成を単純にできる。またこれらは可動部分を有しないので、その設置には鍵盤楽器１の内部の前後方向に大きなスペースを必要とせず、鍵盤楽器１の奥行方向の寸法を小さくすることができる。
【００５１】
（２）また、第一実施形態の鍵盤楽器１によれば、開蓋位置にある鍵盤蓋１４が略垂直な姿勢で鍵盤楽器１内の後部にて収納部４４に収納されるので、鍵盤楽器１の奥行方向の寸法を小さくすることができる。
【００５２】
（３）また、第一実施形態の鍵盤楽器１によれば、鍵盤蓋案内部３８，３８が、鍵盤蓋１４が閉蓋位置と開蓋位置との間を移動する際に、鍵盤楽器１内の後部に位置する鍵盤蓋１４の突起部３２，３２を略垂直方向に沿って案内し、この際、開蓋位置にある鍵盤蓋１４が略垂直な姿勢で鍵盤楽器１内の後部にて収納部４４に収納されるので、上述の特許文献４に記載された鍵盤楽器のような移動中の鍵盤蓋が回転する際に通過する領域を鍵盤楽器内に確保する必要がなく、鍵盤楽器１の容量を小さくでき、鍵盤楽器１を小型化することができる。また、基板１３ａやトランス１３ｂなどの構成部位を、移動する鍵盤蓋１４に当接しないよう鍵盤楽器１内に配置する必要がないため、鍵盤楽器１の設計時に設計上の制約を与えない。
【００５３】
（４）また、第一実施形態の鍵盤楽器１によれば、鍵盤蓋１４を木製の板材１８で構成するといった具合に屈曲自在に構成する必要がなく、鍵盤蓋１４の部品点数を少なくすることができ、且つ鍵盤蓋１４の製造工数および製造コストを小さくすることができる。
【００５４】
（５）また、第一実施形態の鍵盤楽器１によれば、鍵盤蓋案内部３８，３８が、鍵盤蓋１４が閉蓋位置と開蓋位置との間を移動する際に、鍵盤楽器１内の上部に位置する鍵盤蓋１４の突起部３２，３２を鍵盤楽器１の屋根５に沿って案内するので、移動する鍵盤蓋１４を通過する領域を鍵盤楽器１内に確保する必要がなく、鍵盤楽器１の容量を小さくすることができ、鍵盤楽器１を小型化することができる。また、基板１３ａやトランス１３ｂなどの構成部位を移動する鍵盤蓋１４に当接しないよう鍵盤楽器１内に配置する必要がないため、この点でも鍵盤楽器１の設計時に設計上の制約を与えない。
【００５５】
（６）また、第一実施形態の鍵盤楽器１によれば、鍵盤蓋１４がその側方に向けて延出する突起部３２，３２を有し、一方、鍵盤蓋案内部３８，３８が互いにほぼ平行な内側溝壁面としての下側溝壁面３８ａと外側溝壁面としての上側溝壁面３８ｂとを有し、下側溝壁面３８ａが、鍵盤蓋１４が閉蓋位置と開蓋位置との間を移動する際には、突起部３２，３２を介して鍵盤蓋１４を鍵盤楽器１の内部側から支えるとともに、上側溝壁面３８ｂが、鍵盤蓋１４が閉蓋位置と開蓋位置との間を移動する際には、突起部３２，３２を介して鍵盤蓋１４が鍵盤楽器１の外部へ向けて移動するのを防ぐ。このことにより、鍵盤蓋１４の安定した移動が可能となる。
【００５６】
（６）また、第一実施形態の鍵盤楽器１によれば、鍵盤蓋１４の突起部３２，３２が、それぞれ案内軸３０の両端に対して伸縮自在に構成されているので、鍵盤楽器１に対する鍵盤蓋１４の取り付けおよび取り外しが容易に行われる。
【００５７】
（７）また、第一実施形態の鍵盤楽器１によれば、ピニオンギヤ３４，３４とラック４０，４０とがそれぞれ噛み合っているので、仮に、閉蓋位置と開蓋位置との間で鍵盤蓋１４を移動させる際において、例えば真っ直ぐ押さなかった場合であっても、ピニオンギヤ３４，３４とラック４０，４０との噛み合いによって、これら両端のうちの一方が空転したり滑ったりするような事態が生じず、したがって、鍵盤蓋１４の移動をさらに安定させることができる。
［第二実施形態］
上記第一実施形態では、鍵盤楽器１の鍵盤蓋１４が一枚の木製の板材１８を備えている。これに対して第二実施形態では、鍵盤楽器１０１の鍵盤蓋１１４が、鍵盤１０および操作パネル１２の上方うち前方側を覆う板状の前蓋１１６および後方側を覆う板状の後蓋１１８を備えていることを特徴とする。
【００５８】
以下に、第二実施形態の鍵盤楽器１０１が備える構成について説明する。なお、図４は第二実施形態の鍵盤楽器１０１の側断面図であり、鍵盤蓋１１４を取り外した状態を示す。また、図５は第二実施形態の鍵盤蓋１１４の説明図であり、前蓋１１５、後蓋１１８、鍵盤蓋軸ホルダー２６および鍵盤蓋軸ホルダー取付金具２８を示す。また、図６は第二実施形態の鍵盤楽器１０１の側断面図であり、図６（ａ）は鍵盤蓋１１４が閉蓋位置にある状態を示し、図６（ｂ）は鍵盤蓋１１４が鍵盤楽器１０１の屋根５近傍を移動する状態を示し、図６（ｃ）は鍵盤蓋１１４を鍵盤楽器１０１の後部から引き出した状態を示し、図６（ｄ）は鍵盤蓋１１４が開蓋位置にある状態を示す。
【００５９】
また、本第二実施形態では、多くの部分は第一実施形態と共通なので、第一実施形態と同じ符号を使用してその詳細な説明を省略する。
［鍵盤楽器１０１の構成の説明］
図４に示すように、鍵盤楽器１０１は、鍵盤楽器１０１の内部の前側左右両端付近に対向配置された一対の腕木３，３、屋根５、棚板８、背面板９および腕木３，３の間に配された鍵盤１０や口棒１１、操作パネル１２等により形成されている。なお、図４では演奏者側から見て右側に配置される腕木３のみを図示し、演奏者側から見て左側に配置される腕木３については図示を省略する。また、図４では、基板１３ａおよびトランス１３ｂの図示を省略している。
【００６０】
また、鍵盤楽器１０１は、鍵盤１０および操作パネル１２の上方を覆う鍵盤蓋１１４を備えている（図５参照）。また、鍵盤楽器１０１は、一対の鍵盤蓋案内部１３８，１３８、および一対の突起部４２，４２をそれぞれ腕木３，３に備えている。
次に、鍵盤蓋１１４および鍵盤蓋案内部１３８，１３８について順に説明する。
【００６１】
［鍵盤蓋１１４の構成の説明］
図５に示すように、鍵盤蓋１１４は、鍵盤１０および操作パネル１２の上方を覆う木製の板材であり、これらのうち前方側を覆う板状の前蓋１１６および後方側を覆う板状の後蓋１１８を備えている。そして、これら前蓋１１６の後端部と後蓋１１８の前端部とは、連結部としての蝶番１２０により山型に折り畳み可能に連結されている。
【００６２】
また、後蓋１１８の下面には、鍵盤蓋軸ホルダー２６が鍵盤蓋軸ホルダー取付金具２８を介して取り付けられている。なお、鍵盤蓋軸ホルダー２６を、鍵盤蓋軸ホルダー取付金具２８を介さずに後蓋１１８に取り付ける構成としてもよい。この鍵盤蓋軸ホルダー２６は軸用穴２６ａを有しており、この軸用穴２６ａには、図２（ｂ）に示すように案内軸３０が通されている。また、案内軸３０の両端には突起部３２，３２がそれぞれ取り付けられている。さらに、突起部３２には、ピニオンギヤ３４がその周方向に沿って設けられている。
【００６３】
なお、この突起部３２を案内軸３０に取り付ける手順および案内軸３０に取り付けられた突起部３２を取り外す手順については、上記第一実施形態で述べたのでここでは詳細な説明は省略する。
【００６４】
［鍵盤蓋案内部１３８，１３８の構成の説明］
また、図４に示すように、鍵盤楽器１０１は、一対の鍵盤蓋案内部１３８，１３８をそれぞれ腕木３，３に備えている。なお、上述の一対の鍵盤蓋案内部１３８，１３８については、左右対称に構成されている。また、図４では演奏者側から見て右側に配置される鍵盤蓋案内部１３８のみを図示し、演奏者側から見て左側に配置される鍵盤蓋案内部１３８については図示を省略する。
【００６５】
鍵盤蓋案内部１３８，１３８は、腕木３，３の内面に沿って配されて互いにほぼ平行な下側溝壁面１３８ａおよび上側溝壁面１３８ｂを備えている。このうち下側溝壁面１３８ａは略垂直部分１３８ｄを有し、略垂直部分１３８ｄは背面板９近傍に略垂直に配置されている。また、上側溝壁面３８ｂは略垂直部分１３８ｆを有し、略垂直部分１３８ｆは、下側溝壁面１３８ａの略垂直部分１３８ｄと平行に配置されている。また、これら下側溝壁面１３８ａおよび上側溝壁面１３８ｂは、これらの前端部同士が連結溝壁面１３８ｇにより連結されており、これらの後端部同士が連結溝壁面１３８ｈにより連結されている。
【００６６】
なお、下側溝壁面１３８ａは内側溝壁面に該当し、上側溝壁面１３８ｂは外側溝壁面に該当する。また、連結溝壁面１３８ｈは鍵盤蓋停止部に該当する。
また、この鍵盤蓋案内部１３８の下部には、上述のラック４０と同様のラック（図示省略）が下側溝壁面１３８ａに沿って設けられている。このラックは、鍵盤蓋１１４の後蓋１１８を鍵盤蓋案内部１３８に取り付けた際に、ピニオンギヤ３４と噛み合うように設定されている。
【００６７】
さらに、この鍵盤蓋案内部１３８，１３８には、上述の取付穴３８ｉと同様の取付穴（図示省略）が複数設けられており、鍵盤蓋案内部１３８，１３８は、これら取付穴にビスなどを通して腕木３，３にそれぞれ固定されている。
【００６８】
なお、鍵盤蓋１１４、鍵盤蓋案内部１３８，１３８および収納部４４が、鍵盤蓋開閉機構を構成する。また、鍵盤楽器１０１に対する鍵盤蓋１１４の取り付け・取り外しについては、上記第一実施形態で述べた手法と同様であるのでここでは詳細な説明は省略する。また、鍵盤楽器１０１の他の構成は公知技術に従っているので、その詳細の説明は省略する。
【００６９】
［鍵盤蓋１１４の開閉動作の説明］
次に鍵盤蓋１１４の開閉動作について説明する。
鍵盤１０および操作パネル１２の上方を覆う鍵盤蓋１１４（閉蓋位置、図６（ａ）参照）を演奏時などに開けるには、まず鍵盤蓋１１４の前蓋１１６を上方に押し上げ、鍵盤蓋１１４を、蝶番１２０を中心とした前蓋１１６と後蓋１１８との折れ曲がりが解消した状態とする（図６（ｂ）参照）。
【００７０】
前蓋１１６をさらに押し上げると、鍵盤蓋１１４が後蓋１１８の突起部３２，３２を中心として後方へ向けて回転し、後蓋１１８が垂直な姿勢になるに従って、前蓋１１６と後蓋１１８とが蝶番１２０を中心として折れ曲がり始める。
【００７１】
後蓋１１８が略垂直な姿勢になったら（図６（ｃ）参照）、前蓋１１６を後方へ押し、前蓋１１６と後蓋１１８とが蝶番１２０を中心として折り畳まれた状態とする。そして、折り畳まれた状態の鍵盤蓋１１４を下方に押し下げる。すると、鍵盤蓋１１４の突起部３２，３２がそれぞれ鍵盤蓋案内部１３８，１３８の略垂直部分を移動する。鍵盤蓋１１４をさらに押し下げると、鍵盤蓋１１４の突起部３２，３２がそれぞれ鍵盤蓋案内部１３８，１３８の略垂直部分の下端部である連結溝壁面１３８ｈ，１３８ｈ（鍵盤蓋停止部）に当接する。すると鍵盤蓋１１４の移動が停止し、鍵盤楽器１０１の内部の後端部に形成された収納部４４に略垂直な姿勢で収納される（開蓋位置、図６（ｄ）参照）。この際、突起部４２，４２が、鍵盤蓋１１４が突起部３２，３２を中心にして後方へ回転するのを防止する。
【００７２】
一方、演奏終了後などに鍵盤蓋１１４を閉じるには、図６（ｄ）に示すように鍵盤楽器１０１の収納部４４に略垂直な姿勢で収納された鍵盤蓋１１４を、上方へ引くなどして鍵盤楽器１０１の上方へ向けて移動させる。すると、鍵盤蓋１１４の突起部３２，３２がそれぞれ鍵盤蓋案内部１３８，１３８の略垂直部分の上端部に到着し、それぞれ連結溝壁面１３８ｇ，１３８ｇに当接して鍵盤蓋１１４の上方への移動が停止する。続いて、前蓋１１６を略水平な姿勢となるまで手前に引く（図６（ｃ）参照）。
【００７３】
さらに、前蓋１１６を手前に引くと、後蓋１１８が徐々に前方に傾斜するとともに、蝶番１２０を中心とした前蓋１１６と後蓋１１８との折れ曲がりが徐々に解消される。後蓋１１８が屋根５の上方で略水平な姿勢となったら（図６（ｂ）参照）、前蓋１１６の先端部を押し下げる。すると、鍵盤蓋１１４が鍵盤１０および操作パネル１２の上方を覆う状態となる（閉鎖位置、図６（ａ）参照）。
【００７４】
［第二実施形態の効果］
このように第二実施形態の鍵盤楽器１０１によれば、鍵盤蓋１１４が、鍵盤１０および操作パネル１２の上方を覆う木製の板材であり、これらのうち前方側を覆う板状の前蓋１１６および後方側を覆う板状の後蓋１１８を備え、これら前蓋１１６の後端部と後蓋１１８の前端部とは、連結部としての蝶番１２０により山型に折り畳み可能に連結されている。そして、収納部４４が、開蓋位置にある鍵盤蓋１１４を蝶番１２０によって山型に折り畳まれた状態で、略垂直な姿勢で鍵盤楽器１０１の後部に収納可能である。このことにより、鍵盤楽器１０１の後部に収納された鍵盤蓋１１４の高さ方向の寸法を小さくすることができ、鍵盤楽器１０１の高さ方向の寸法を小さくすることができる。
［第三実施形態］
上記第一実施形態では、鍵盤蓋１４が、鍵盤楽器１の内部の後端部に形成された収納部４４に略垂直な姿勢で収納されるよう構成されている。これに対して第三実施形態では、
鍵盤蓋１４が、鍵盤楽器２０１の内部の後端部に形成された収納部２４４に、鍵盤楽器２０１の背面に沿った傾斜した姿勢で収納されるよう構成されていることを特徴とする。
【００７５】
以下に、第三実施形態の鍵盤楽器２０１が備える構成について説明する。なお、図７は第三実施形態の鍵盤楽器２０１の側断面図であり、鍵盤蓋１４を取り外した状態を示す。また、図８は第三実施形態の鍵盤楽器２０１の側断面図であり、図８（ａ）は鍵盤蓋１４が閉蓋位置にある状態を示し、図８（ｂ）は鍵盤蓋１４が鍵盤楽器２０１の屋根５近傍を移動する状態を示し、図８（ｃ）は鍵盤蓋１４を鍵盤楽器２０１の後部から引き出した状態を示し、図８（ｄ）は鍵盤蓋１４が開蓋位置にある状態を示す。
【００７６】
また、本第三実施形態では、多くの部分は第一実施形態および第二実施形態と共通なので、第一実施形態および第二実施形態と同じ符号を使用してその詳細な説明を省略する。
［鍵盤楽器２０１の構成の説明］
図７に示すように、鍵盤楽器２０１は、鍵盤楽器２０１の内部の前側左右両端付近に対向配置された一対の腕木２０３，２０３、屋根５、棚板８、背面板９および腕木２０３，２０３の間に配された鍵盤１０や口棒１１、操作パネル１２等により形成されている。
【００７７】
腕木２０３は、その上端よりも下端の方が後方に位置するよう傾斜する後端面２０３ａを有している。なお、上述の一対の腕木２０３，２０３については、左右対称に構成されている。また、図７では演奏者側から見て右側に配置される腕木２０３のみを図示し、演奏者側から見て左側に配置される腕木２０３については図示を省略する。また、図７では、基板１３ａおよびトランス１３ｂの図示を省略している。
【００７８】
また、鍵盤楽器２０１は、鍵盤１０および操作パネル１２の上方を覆う鍵盤蓋１４を備えている（図８（ａ）参照）。
［鍵盤蓋案内部２３８，２３８の構成の説明］
図７に示すように、鍵盤楽器２０１は、一対の鍵盤蓋案内部２３８，２３８をそれぞれ腕木２０３，２０３に備えている。なお、上述の一対の鍵盤蓋案内部２３８，２３８については、左右対称に構成されている。また、図７では演奏者側から見て右側に配置される鍵盤蓋案内部２３８のみを図示し、演奏者側から見て左側に配置される鍵盤蓋案内部２３８については図示を省略する。
【００７９】
鍵盤蓋案内部２３８，２３８は、腕木２０３，２０３の内面に沿って配されて互いにほぼ平行な下側溝壁面２３８ａおよび上側溝壁面２３８ｂを備えている。このうち下側溝壁面２３８ａは、略水平部分２３８ｃと傾斜部分２３８ｄとからなり、略水平部分２３８ｃは屋根５近傍に略水平に配置され、傾斜部分２３８ｄは腕木２０３の後端面２０３ａに沿って傾斜するよう配置されている。また、上側溝壁面２３８ｂは、略水平部分２３８ｅと傾斜部分２３８ｆとからなり、略水平部分２３８ｅは、下側溝壁面２３８ａの略水平部分２３８ｃと平行に配置され、傾斜部分２３８ｆは、下側溝壁面３８ａの傾斜部分２３８ｄと平行に配置されている。また、これら下側溝壁面２３８ａおよび上側溝壁面２３８ｂは、これらの前端部同士が連結溝壁面２３８ｇにより連結されており、これらの後端部同士が連結溝壁面２３８ｈにより連結されている。
【００８０】
また、この鍵盤蓋案内部２３８の下部には、上述のラック４０と同様のラック（図示省略）が下側溝壁面２３８ａに沿って設けられている。このラックは、板材１８を鍵盤蓋案内部２３８に取り付けた際に、ピニオンギヤ３４と噛み合うように設定されている。
【００８１】
さらに、この鍵盤蓋案内部２３８，２３８には、上述の取付穴３８ｉと同様の取付穴（図示省略）が複数設けられており、鍵盤蓋案内部２３８，２３８は、これら取付穴にビスなどを通して腕木２０３，２０３にそれぞれ固定されている。
【００８２】
なお、下側溝壁面２３８ａは内側溝壁面に該当し、上側溝壁面２３８ｂは外側溝壁面に該当する。また、連結溝壁面２３８ｈは鍵盤蓋停止部に該当する。
［突起部２４２，２４２の構成の説明］
また、図７に示すように、鍵盤楽器２０１は、一対の突起部２４２，２４２をそれぞれ腕木２０３，２０３に備えている。具体的には、鍵盤楽器２０１の腕木２０３，２０３における鍵盤蓋案内部２３８，２３８の略水平部分と傾斜部分との接続部分２３８ｊ，２３８ｊの近傍からは、後述のように鍵盤楽器２０１の内部の後端部に、その上端部が前方へ傾斜した姿勢で収納された鍵盤蓋１４の上部の後方へ向けて突出する一対の突起部２４２，２４２がそれぞれ形成されている。なお、上述の一対の突起部２４２，２４２については、左右対称に構成されている。このことにより、鍵盤楽器２０１の内部の後端部に収納部２４４が形成される。また、図７では演奏者側から見て右側に配置される突起部２４２のみを図示し、演奏者側から見て左側に配置される突起部２４２については図示を省略する。これら突起部２４２，２４２は、鍵盤蓋１４が突起部２３２，２３２を中心にして後方へ回転するのを防止する。
【００８３】
なお、鍵盤蓋１４、鍵盤蓋案内部２３８，２３８および収納部２４４が、鍵盤蓋開閉機構を構成する。また、鍵盤楽器２０１に対する鍵盤蓋１４の取り付け・取り外しについては、上記第一実施形態で述べた手法と同様であるのでここでは詳細な説明は省略する。また、鍵盤楽器２０１の他の構成は公知技術に従っているのでその詳細の説明は省略する。
【００８４】
［鍵盤蓋１４の開閉動作の説明］
次に鍵盤蓋１４の開閉動作について説明する。
鍵盤１０および操作パネル１２の上方を覆う鍵盤蓋１４（閉蓋位置、図８（ａ）参照）を演奏時などに開けるには、まず板材１８を後方へ押すなどして鍵盤蓋１４を鍵盤楽器２０１の内部に向けて移動させる（図８（ｂ）参照）。
【００８５】
鍵盤蓋１４をさらに移動させると、鍵盤蓋１４の突起部３２，３２がそれぞれ鍵盤蓋案内部２３８，２３８の略水平部分の後端部に到着してそれぞれ略水平部分と傾斜部分との接続部分２３８ｊに当接して鍵盤蓋１４の後方への移動が停止する。
【００８６】
ここで、板材１８の先端部を上方に持ち上げて鍵盤蓋１４を垂直な姿勢とする（図８（ｃ）参照）。
続いて、板材１８を下方へ押すなどして鍵盤蓋１４を下方へ向けて移動させる。すると、鍵盤蓋１４の突起部３２，３２がそれぞれ鍵盤蓋案内部２３８，２３８の略垂直部分の各後端部に到着してそれぞれ連結溝壁面２３８ｈ，２３８ｈ（鍵盤蓋停止部）に当接する。すると鍵盤蓋１４の移動が停止し、鍵盤蓋１４が、鍵盤楽器２０１の内部の後端部に形成された収納部２４４に、腕木２０３の後端面２０３ａに沿った前方へ傾斜した姿勢で収納される（開蓋位置、図８（ｄ）参照）。この際、突起部２４２，２４２が、鍵盤蓋１４が突起部３２，３２を中心にして後方へ回転するのを防止する。
【００８７】
一方、演奏終了後などに鍵盤蓋１４を閉じるには、図８（ｄ）に示すように腕木２０３の後端面２０３ａに沿った前方へ傾斜した姿勢で鍵盤楽器２０１の収納部２４４に収納された鍵盤蓋１４を、板材１８を上方へ引くなどして鍵盤楽器２０１の上方へ向けて移動させる。すると、鍵盤蓋１４の突起部３２，３２がそれぞれ鍵盤蓋案内部２３８，２３８の傾斜部分の上端部に到着してそれぞれ略水平部分と傾斜部分との接続部分２３８ｊに当接して鍵盤蓋１４の上方への移動が停止する（図８（ｃ）参照）。
【００８８】
続いて、板材１８の先端部を手前に引くなどして鍵盤蓋１４を鍵盤１０および操作パネル１２の上方に向けて移動させる（図８（ｂ）参照）。
鍵盤蓋１４をさらに移動させると、鍵盤蓋１４の突起部３２，３２がそれぞれ鍵盤蓋案内部２３８，２３８の略水平部分の各前端部に到着してそれぞれ連結溝壁面２３８ｇ，２３８ｇに当接する。すると、鍵盤蓋１４が停止し、鍵盤１０および操作パネル１２の上方を覆う状態となる（閉鎖位置、図８（ａ）参照）。
【００８９】
［第三実施形態の効果］
このように第三実施形態の鍵盤楽器２０１によれば、開蓋位置にある鍵盤蓋１４が、鍵盤楽器２０１の内部の後端部に形成された収納部２４４に、腕木２０３の後端面２０３ａに沿った前方へ傾斜した姿勢で収納されるので、鍵盤楽器２０１の後部のデザイン性を損なうことなく、鍵盤楽器２０１の高さ方向の寸法をさらに小さくすることができる。
［第四実施形態］
上記第三実施形態では、鍵盤楽器２０１の鍵盤蓋１４が一枚の木製の板材１８を備えている。これに対して第四実施形態では、鍵盤楽器３０１の鍵盤蓋１１４が、鍵盤１０および操作パネル１２の上方うち前方側を覆う板状の前蓋１１６および後方側を覆う板状の後蓋１１８を備えていることを特徴とする。
【００９０】
以下に、第四実施形態の鍵盤楽器３０１が備える構成について説明する。なお、図９は第四実施形態の鍵盤楽器３０１の側断面図であり、鍵盤蓋１１４を取り外した状態を示す。また、図１０は第四実施形態の鍵盤楽器３０１の側断面図であり、図１０（ａ）は鍵盤蓋が閉蓋位置にある状態を示し、図１０（ｂ）は鍵盤蓋１１４が鍵盤楽器３０１の屋根５近傍を移動する状態を示し、図１０（ｃ）は鍵盤蓋１１４を鍵盤楽器３０１の後部から引き出した状態を示し、図１０（ｄ）は鍵盤蓋１１４が開蓋位置にある状態を示す。
【００９１】
また、本第四実施形態では、多くの部分は第一実施形態、第二実施形態および第三実施形態と共通なので、第一実施形態、第二実施形態および第三実施形態と同じ符号を使用してその詳細な説明を省略する。
【００９２】
［鍵盤楽器３０１の構成の説明］
図９に示すように、鍵盤楽器３０１は、鍵盤楽器３０１の内部の前側左右両端付近に対向配置された一対の腕木２０３，２０３、屋根５、棚板８、背面板９および腕木２０３，２０３の間に配された鍵盤１０や口棒１１、操作パネル１２等により形成されている。なお、図９では、基板１３ａおよびトランス１３ｂの図示を省略している。
【００９３】
また、鍵盤楽器３０１は、鍵盤１０および操作パネル１２の上方を覆う鍵盤蓋１１４を備えている（図８（ａ）参照）。
［鍵盤蓋案内部３３８，３３８の構成の説明］
図９に示すように、鍵盤楽器３０１は、一対の鍵盤蓋案内部３３８，３３８をそれぞれ腕木２０３，２０３に備えている。なお、上述の一対の鍵盤蓋案内部３３８，３３８については、左右対称に構成されている。また、図９では演奏者側から見て右側に配置される鍵盤蓋案内部３３８のみを図示し、演奏者側から見て左側に配置される鍵盤蓋案内部３３８については図示を省略する。
【００９４】
鍵盤蓋案内部３３８，３３８は、腕木２０３，２０３の内面に沿って配されて互いにほぼ平行な下側溝壁面３３８ａおよび上側溝壁面３３８ｂを備えている。このうち下側溝壁面３３８ａは傾斜部分３３８ｄを有し、傾斜部分３３８ｄは、腕木２０３の後端面２０３ａに沿って傾斜するよう配置されている。また、上側溝壁面３３８ｂは傾斜部分３３８ｆを有し、傾斜部分３３８ｆは、下側溝壁面３３８ａの傾斜部分３３８ｄと平行に配置されている。また、これら下側溝壁面３３８ａおよび上側溝壁面３３８ｂは、これらの前端部同士が連結溝壁面３３８ｇにより連結されており、これらの後端部同士が連結溝壁面３３８ｈにより連結されている。
【００９５】
なお、下側溝壁面３３８ａは内側溝壁面に該当し、上側溝壁面３３８ｂは外側溝壁面に該当する。また、連結溝壁面３３８ｈは鍵盤蓋停止部に該当する。
また、この鍵盤蓋案内部３３８の下部には、上述のラック４０と同様のラック（図示省略）が下側溝壁面３３８ａに沿って設けられている。このラックは、鍵盤蓋１１４の後蓋１１８を鍵盤蓋案内部３３８に取り付けた際に、ピニオンギヤ３４と噛み合うように設定されている。
【００９６】
さらに、この鍵盤蓋案内部３３８，３３８には、上述の取付穴３８ｉと同様の取付穴（図示省略）が複数設けられており、鍵盤蓋案内部３３８，３３８は、これら取付穴にビスなどを通して腕木２０３，２０３にそれぞれ固定されている。
【００９７】
なお、鍵盤蓋１１４、鍵盤蓋案内部３３８，３３８および収納部２４４が、鍵盤蓋開閉機構を構成する。また、鍵盤楽器３０１に対する鍵盤蓋１１４の取り付け・取り外しについては、上記第二実施形態で述べた手法と同様であるのでここでは詳細な説明は省略する。また、鍵盤楽器３０１の他の構成は公知技術に従っているので、その詳細の説明は省略する。
【００９８】
［鍵盤蓋１１４の開閉動作の説明］
次に鍵盤蓋１１４の開閉動作について説明する。
鍵盤１０および操作パネル１２の上方を覆う鍵盤蓋１１４（閉蓋位置、図１０（ａ）参照）を演奏時などに開けるには、まず鍵盤蓋１１４の前蓋１１６を上方に押し上げ、鍵盤蓋１１４を、蝶番１２０を中心とした前蓋１１６と後蓋１１８との折れ曲がりが解消した状態とする（図１０（ｂ）参照）。
【００９９】
前蓋１１６をさらに押し上げると、鍵盤蓋１１４が後蓋１１８の突起部３２，３２を中心として後方へ向けて回転し、後蓋１１８が垂直な姿勢になるに従って、前蓋１１６と後蓋１１８とが蝶番１２０を中心として折れ曲がり始める。
【０１００】
後蓋１１８が略垂直な姿勢になったら（図１０（ｃ）参照）、前蓋１１６を後方へ押し、前蓋１１６と後蓋１１８とが蝶番１２０を中心として折り畳まれた状態とする。そして、折り畳まれた状態の鍵盤蓋１１４を斜め後方へ押し下げる。すると、鍵盤蓋１１４の突起部３２，３２がそれぞれ鍵盤蓋案内部３３８，３３８の傾斜部分を移動する。鍵盤蓋１１４をさらに押し下げると、鍵盤蓋１１４の突起部３２，３２がそれぞれ鍵盤蓋案内部３３８，３３８の傾斜部分の下端部である連結溝壁面３３８ｈ，３３８ｈ（鍵盤蓋停止部）に当接する。すると鍵盤蓋１１４の移動が停止し、鍵盤楽器３０１の内部の後端部に形成された収納部２４４に、腕木２０３の後端面２０３ａに沿った前方へ傾斜した姿勢で収納される（開蓋位置、図１０（ｄ）参照）。この際、突起部２４２，２４２が、鍵盤蓋１１４が突起部３２，３２を中心にして後方へ回転するのを防止する。
【０１０１】
一方、演奏終了後などに鍵盤蓋１１４を閉じるには、図１０（ｄ）に示すように腕木２０３の後端面２０３ａに沿った前方へ傾斜した姿勢で鍵盤楽器３０１の収納部２４４に収納された鍵盤蓋１１４を、上方へ引くなどして鍵盤楽器３０１の上方へ向けて移動させる。すると、鍵盤蓋１１４の突起部３２，３２がそれぞれ鍵盤蓋案内部３３８，３３８の傾斜部分の上端部に到着し、それぞれ連結溝壁面３３８ｇ，３３８ｇに当接して鍵盤蓋１１４の上方への移動が停止する。続いて、前蓋１１６を略水平な姿勢となるまで手前に引く（図１０（ｃ）参照）。
【０１０２】
さらに、前蓋１１６を手前に引くと、後蓋１１８が徐々に前方に傾斜するとともに、蝶番１２０を中心とした前蓋１１６と後蓋１１８との折れ曲がりが徐々に解消される。後蓋１１８が屋根５の上方で略水平な姿勢となったら（図１０（ｂ）参照）、前蓋１１６の先端部を押し下げる。すると、鍵盤蓋１１４が鍵盤１０および操作パネル１２の上方を覆う状態となる（閉鎖位置、図１０（ａ）参照）。
【０１０３】
［第四実施形態の効果］
このように第四実施形態の鍵盤楽器３０１によれば、鍵盤蓋１１４が、鍵盤１０および操作パネル１２の上方を覆う木製の板材であり、これらのうち前方側を覆う板状の前蓋１１６および後方側を覆う板状の後蓋１１８を備え、これら前蓋１１６の後端部と後蓋１１８の前端部とは、連結部としての蝶番１２０により山型に折り畳み可能に連結されている。そして、収納部２４４が、開蓋位置にある鍵盤蓋１１４を蝶番１２０によって山型に折り畳まれた状態で、腕木２０３の後端面２０３ａに沿った前方へ傾斜した姿勢で鍵盤楽器３０１の後部に収納可能である。このことにより、鍵盤楽器３０１の後部に収納された鍵盤蓋１１４の高さ方向の寸法を小さくすることができ、鍵盤楽器２０１の後部のデザイン性を損なうことなく、鍵盤楽器３０１の高さ方向の寸法を小さくすることができる。
［他の実施形態］
以上、本発明の一実施形態について説明したが、本発明は上記実施形態に限定されるものではなく、以下のように様々な態様にて実施することが可能である。
【０１０４】
（１）上記第三実施形態の鍵盤蓋１４については、図１１（ａ）に例示するように、下方に垂れて鍵盤１０の前方を覆う前付け部２２をその前端部に備えるようにしてもよい。
このようにすれば、鍵盤蓋１４が閉蓋位置にある際に前付け部２２によって鍵盤１０を保護することができる。また、図１１（ｂ）に例示するように、鍵盤蓋１４が開蓋位置にある際に前付け部２２によって鍵盤蓋１４と屋根５の間に隙間が生じることがなく、鍵盤蓋１４と屋根５の間から例えば譜面などが鍵盤楽器２０１の内部に落下するのを防ぐことができる。
【０１０５】
なお、このことは第一実施形態の鍵盤蓋１４についても同様である。また、第二実施形態および第四実施形態の鍵盤蓋１１４についても、同様に下方に垂れて鍵盤１０の前方を覆う前付け部をその前端部に備えるようにしても同様の効果を得られる。
【図面の簡単な説明】
【０１０６】
【図１】第一実施形態の鍵盤楽器の側断面図であり、鍵盤蓋を取り外した状態を示す。
【図２】第一実施形態の鍵盤蓋の説明図であり、（ａ）は板材、鍵盤蓋軸ホルダーおよび鍵盤蓋軸ホルダー取付金具を示し、（ｂ）は鍵盤蓋軸ホルダー、案内軸およびピニオンギヤを示し、（ｃ）は鍵盤蓋を鍵盤蓋案内部に取り付けた状態を示している。
【図３】第一実施形態の鍵盤楽器の側断面図であり、（ａ）は鍵盤蓋が閉蓋位置にある状態を示し、（ｂ）は鍵盤蓋が鍵盤楽器の屋根近傍を移動する状態を示し、（ｃ）は鍵盤蓋を鍵盤楽器の後部から引き出した状態を示し、（ｄ）は鍵盤蓋が開蓋位置にある状態を示す。
【図４】第二実施形態の鍵盤楽器の側断面図であり、鍵盤蓋を取り外した状態を示す。
【図５】第二実施形態の鍵盤蓋の後蓋の説明図であり、前蓋、後蓋、鍵盤蓋軸ホルダーおよび鍵盤蓋軸ホルダー取付金具を示す。
【図６】第二実施形態の鍵盤楽器の側断面図であり、（ａ）は鍵盤蓋が閉蓋位置にある状態を示し、（ｂ）は鍵盤蓋が鍵盤楽器の屋根近傍を移動する状態を示し、（ｃ）は鍵盤蓋を鍵盤楽器の後部から引き出した状態を示し、（ｄ）は鍵盤蓋が開蓋位置にある状態を示す。
【図７】第三実施形態の鍵盤楽器の側断面図であり、鍵盤蓋を取り外した状態を示す。
【図８】第三実施形態の鍵盤楽器の側断面図であり、（ａ）は鍵盤蓋が閉蓋位置にある状態を示し、（ｂ）は鍵盤蓋が鍵盤楽器の屋根近傍を移動する状態を示し、（ｃ）は鍵盤蓋を鍵盤楽器の後部から引き出した状態を示し、（ｄ）は鍵盤蓋が開蓋位置にある状態を示す。
【図９】第四実施形態の鍵盤楽器の側断面図であり、鍵盤蓋を取り外した状態を示す。
【図１０】第四実施形態の鍵盤楽器の側断面図であり、（ａ）は鍵盤蓋が閉蓋位置にある状態を示し、（ｂ）は鍵盤蓋が鍵盤楽器の屋根近傍を移動する状態を示し、（ｃ）は鍵盤蓋を鍵盤楽器の後部から引き出した状態を示し、（ｄ）は鍵盤蓋が開蓋位置にある状態を示す。
【図１１】第三実施形態の鍵盤楽器の側断面図であり、（ａ）は前付け部を備える鍵盤蓋が閉蓋位置にある状態を示し、（ｂ）は前付け部を備える鍵盤蓋が開蓋位置にある状態を示す。
【符号の説明】
【０１０７】
１，１０１，２０１，３０１…鍵盤楽器、３，２０３…腕木、５…屋根、８…棚板、
９…背面板、１０…鍵盤、１０ａ…白鍵、１０ｂ…黒鍵、１１…口棒、
１２…操作パネル、１３ａ…基板、１３ｂ…トランス、１４，１１４…鍵盤蓋、
１８…板材、２２…前付け部、２６…鍵盤蓋軸ホルダー、２６ａ…軸用穴、
２８…鍵盤蓋軸ホルダー取付金具、３０…案内軸、３２…突起部、３２ａ…取付穴、
３２ｂ…ビス穴、３４…ピニオンギヤ、
３８，１３８，２３８，３３８…鍵盤蓋案内部、
３８ａ，１３８ａ，２３８ａ，３３８ａ…下側溝壁面、
３８ｂ，１３８ｂ，２３８ｂ，３３８ｂ…上側溝壁面、
３８ｃ，２３８ｃ…下側溝壁面の略水平部分、
３８ｄ，１３８ｄ…下側溝壁面の略垂直部分、
３８ｅ，２３８ｅ…上側溝壁面の略水平部分、
３８ｆ，１３８ｆ…上側溝壁面の略垂直部分、
３８ｇ，１３８ｇ，２３８ｇ，３３８ｇ…連結溝壁面、
３８ｈ，１３８ｈ，２３８ｈ，３３８ｈ…連結溝壁面、
３８ｉ，…取付穴、３８ｊ…鍵盤蓋案内部の略水平部分と略垂直部分との接続部分、
４０…ラック、４２，２４２…突起部、４４，２４４…収納部、
１１６…前蓋、１１８…後蓋、１２０…蝶番、２０３ａ…腕木の後端面、
２３８ｄ，３３８ｄ，…下側溝壁面の傾斜部分、
２３８ｆ，３３８ｆ…上側溝壁面の傾斜部分、
２３８ｊ…鍵盤蓋案内部の略水平部分と傾斜部分との接続部分
【図２】
2008139701.tif 000003
【図４】
2008139701.tif 000004
【図５】
2008139701.tif 000005
【図７】
2008139701.tif 000006
【図９】
2008139701.tif 000007
【図１】
2008139701.tif 000008
【図３】
2008139701.tif 000009
【図６】
2008139701.tif 000010
【図８】
2008139701.tif 000011
【図１０】
2008139701.tif 000012
【図１１】
2008139701.tif 000013